(57)【要約】【課題】    扉体の閉鎖状態を安定化できるとともに、安価かつ外観意匠性に優れたドアを提供すること。【解決手段】戸先框１４の上下端を塞ぐ小口キャップ装置２０にラッチ部材であるローラ２３を設け、このローラ２３が縦枠５のラッチ受け７に係合されるので、障子を閉じた状態において、戸先框１４の上下端の移動を規制することができ、障子のバタつきを防止して閉鎖状態を安定させることができる。また、戸先框１４の上下方向略中央位置にラッチを設けなくてもよいことから、障子の外観意匠性を向上させることができる。さらに、小口キャップ装置２０にラッチ機構を付加したので、戸先框１４に孔開け加工等を施さなくても戸先框１４の上下端に挿入するだけで小口キャップ装置２０を取り付けることができ、製造に要する手間やコストを低減することができる。【選択図】  図３
2005200921.tif 000002
【特許請求の範囲】
【請求項１】
上枠、下枠、および左右の縦枠を四周枠組みした開口枠と、この開口枠に開閉自在に支持され、かつ上框、下框、および左右の縦框を有した扉体とを備えたドアであって、
前記左右の縦框のうち、戸先側に配置される戸先框の上下端には、当該上下端を塞ぐ小口キャップ装置が設けられ、
前記小口キャップ装置は、前記戸先框の見付け方向外側に向かって出没自在なラッチ部材を有して構成され、
前記左右の縦枠のうち、前記戸先框と対向する側の縦枠には、前記ラッチ部材に係合可能なラッチ受けが設けられ、
前記扉体を閉じた状態において、前記ラッチ部材が前記ラッチ受けに係止されるドア。
【請求項２】
前記小口キャップ装置は、前記戸先框の長手方向に交差する天面部と、当該戸先框の側面に連続する側面部と、当該戸先框内部に圧入される圧入部と、前記ラッチ部材を当該戸先框の見付け方向外側に向かって付勢する付勢手段とを有して形成され、
前記小口キャップ装置の側面部のうち、前記扉体を閉じた状態で前記縦枠に対向する側面部には開口が設けられ、この開口を通して前記ラッチ部材が出没可能に構成されている請求項１に記載のドア。
【請求項３】
前記付勢手段は、前記圧入部に一端側が固定されるとともに、他端側に前記ラッチ部材を支持する板ばねであり、
前記板ばねの弾性変形により前記ラッチ部材が出没可能に支持されている請求項２に記載のドア。
【請求項４】
前記ラッチ部材は、前記戸先框の長手方向に沿った回転軸を中心に回転自在に支持されたローラである請求項１から請求項３のいずれかに記載のドア。
【請求項５】
前記戸先框には、施錠または開錠位置に切り換え操作可能な錠操作部と、この錠操作部に一端が連結され、かつ他端が前記戸先框の内部を通って当該戸先框の上下端の少なくとも一方側に延長された規制部材とを有した施錠装置が設けられ、
前記錠操作部を施錠位置に切り換えることで、前記規制部材の他端側が前記ラッチ部材の出没移動を規制する規制位置に移動して前記ラッチ部材が出没不能となり、前記錠操作部を開錠位置に切り換えることで、前記規制部材の他端側が前記規制位置から外れて前記ラッチ部材が出没可能となる請求項１から請求項４のいずれかに記載のドア。
【請求項６】
前記施錠装置の規制部材の他端は、前記小口キャップ装置を貫通して前記開口枠側に突出可能に設けられ、この規制部材の他端に対応する前記開口枠には、当該規制部材の他端に係合可能な錠受けが設けられ、
前記錠操作部を施錠位置に切り換えることで、前記規制部材の他端が前記開口枠に向かって突出して前記錠受けに係合し、前記錠操作部を開錠位置に切り換えることで、前記規制部材の他端が前記錠受けから外れる請求項５に記載のドア。
【請求項７】
前記施錠装置における規制部材の他端は、前記戸先框の上端側のみに延長されており、
前記施錠装置には、開錠操作が不能になった際に、前記規制部材を自然落下させて前記規制位置から外す規制解除手段が設けられている請求項５または請求項６に記載のドア。
【発明の詳細な説明】
【技術分野】
【０００１】
本発明は、出入口などに設置されるドアに関し、詳しくは、上枠、下枠、および左右の縦枠を四周枠組みした開口枠と、この開口枠に開閉自在に支持され、かつ上框、下框、および左右の縦框を有した扉体とを備えたドアに関する。
【背景技術】
【０００２】
従来より、扉体（障子）の戸先部に設けたラッチと、縦枠に設けた凹部とが係合することで扉体の開動作が規制されるドアが知られている（例えば、特許文献１参照）。
特許文献１に記載されたドアでは、扉体におけるアルミ製の縦框に設けた孔にラッチ装置が嵌め込まれている。このラッチ装置は、縦框の見付け方向外側に向かって出没自在なラッチと、このラッチを縦枠に向かって付勢するコイルばねとを備えて構成されている。そして、扉体を閉じる際には、凹部から連続した誘導用の突出片にラッチが当接して縦框内方側に没入し、扉体が閉じた状態では、コイルばねに付勢されたラッチが縦枠の凹部内に突出することで、ラッチと凹部とが係合して扉体の開動作が規制されるようになっている。さらに、縦框に設けたレバーを操作してラッチを没入させ、ラッチと凹部との係合を外すことで、扉体を開くことができるようになっている。
【０００３】
【特許文献１】特開平５−２０２６６３号公報
【発明の開示】
【発明が解決しようとする課題】
【０００４】
しかしながら、従来のドアでは、ラッチ装置が扉体の縦框における上下方向略中央位置、つまりレバーの近傍に設けられているため、以下のような問題がある。
すなわち、扉体を閉じた状態において、縦框の上下方向略中央位置のラッチを凹部に係合させて扉体の開動作を規制しても、縦框の上下端部の移動は規制されていないため、扉体の上下が見込み方向にバタついてしまい、扉体の閉鎖状態が不安定になってしまう可能性がある。また、縦框の上下方向略中央位置は、扉体を開いた際に目に付きやすい位置であるため、このような位置に取り付けたラッチ装置が目立ってしまい、外観意匠性が劣るという不都合もある。さらに、ラッチ誘導用の突出片が室内側に突出しているため、この突出片に使用者の衣服等が引っ掛かり、衣服等を破損してしまう可能性もある。
さらに、従来のドアでは、扉体の縦框に孔を開け、この孔にラッチ装置を嵌め込むことから、縦框に対する孔開け加工が必要になり、製造コストが増加してしまうという問題もある。
【０００５】
本発明の目的は、扉体の閉鎖状態を安定化できるとともに、安価かつ外観意匠性に優れたドアを提供することにある。
【課題を解決するための手段】
【０００６】
本発明のドアは、上枠、下枠、および左右の縦枠を四周枠組みした開口枠と、この開口枠に開閉自在に支持され、かつ上框、下框、および左右の縦框を有した扉体とを備えたドアであって、前記左右の縦框のうち、戸先側に配置される戸先框の上下端には、当該上下端を塞ぐ小口キャップ装置が設けられ、前記小口キャップ装置は、前記戸先框の見付け方向外側に向かって出没自在なラッチ部材を有して構成され、前記左右の縦枠のうち、前記戸先框と対向する側の縦枠には、前記ラッチ部材に係合可能なラッチ受けが設けられ、前記扉体を閉じた状態において、前記ラッチ部材が前記ラッチ受けに係止されることを特徴とする。
【０００７】
このような構成によれば、戸先框の上下端を塞ぐ小口キャップ装置にラッチ部材を設け、このラッチ部材が縦枠のラッチ受けに係合されるので、扉体を閉じた状態において、戸先框の上下端の移動を規制することができ、扉体のバタつきを防止して閉鎖状態を安定させることができる。
さらに、戸先框の上下方向略中央位置にラッチを設けなくてもよいことから、扉体の外観意匠性を向上させることができるとともに、縦枠の上下方向略中央位置に凹部や凹部から連続する突出片等を設けなくてもよく、突出片に衣服等が引っ掛かることがなく、衣服等の破損を防止することができる。
【０００８】
また、ラッチ部材を小口キャップ装置に設けた、つまり小口キャップ装置にラッチ機構を付加したので、戸先框に孔開け加工等を施さなくても戸先框の上下端に挿入するだけで小口キャップ装置を取り付けることができ、製造に要する手間やコストを低減することができる。
【０００９】
この際、本発明のドアでは、前記小口キャップ装置は、前記戸先框の長手方向に交差する天面部と、当該戸先框の側面に連続する側面部と、当該戸先框内部に圧入される圧入部と、前記ラッチ部材を当該戸先框の見付け方向外側に向かって付勢する付勢手段とを有して形成され、前記小口キャップ装置の側面部のうち、前記扉体を閉じた状態で前記縦枠に対向する側面部には開口が設けられ、この開口を通して前記ラッチ部材が出没可能に構成されていることが好ましい。
【００１０】
このような構成によれば、圧入部を戸先框内に圧入するだけで小口キャップ装置が取り付けられるので、取り付け作業を容易にすることができる。また、小口キャップ装置の側面部に開口を設け、この開口を通してラッチ部材が出没するようにしたので、ラッチ部材が目立たなくなり、扉体の外観をさらに良好にすることができる。
この際、ラッチ部材を付勢する付勢手段としては、ラッチ部材の出没方向に沿ってラッチ部材の後方に配置されたコイルばねや、ラッチ部材の出没方向に交差して戸先框内に配置された板ばね等が採用可能である。
【００１１】
さらに、本発明のドアでは、前記付勢手段は、前記圧入部に一端側が固定されるとともに、他端側に前記ラッチ部材を支持する板ばねであり、前記板ばねの弾性変形により前記ラッチ部材が出没可能に支持されていることが好ましい。
このような構成によれば、一端側が固定された片持ち状の板ばねの他端側にラッチ部材を支持させ、板ばねの弾性変形でラッチ部材が出没するようにしたので、ラッチ部材を出没自在に支持するための支持構造と、ラッチ部材を付勢するための付勢手段とが、ともに板ばねによって構成でき、小口キャップ装置の構造を簡単にすることができる。
さらに、板ばねの一端側を圧入部に固定した、つまり板ばねの一端を戸先框の内部に延ばして配置したので、板ばねの長さ寸法を長くすることができ、ラッチ部材の出没ストロークおよび付勢力の建て付け誤差等に対する調整範囲を大きくすることができる。すなわち、ラッチ部材の出没方向に沿ったコイルばねをラッチ部材の後方に配置した場合には、コイルばねの長さ寸法は、戸先框の幅寸法により制限されるため、その伸縮距離が比較的小さくなり誤差調整範囲が限られてしまう。これに対して、戸先框の内部に延びる板ばねで付勢手段を構成すれば、戸先框のサイズによる板ばねの長さ寸法の制限は実質的になく、必要とされる出没ストロークや付勢力に応じた板ばねを用いることができる。
【００１２】
また、本発明のドアでは、前記ラッチ部材は、前記戸先框の長手方向に沿った回転軸を中心に回転自在に支持されたローラであることが好ましい。
このような構成によれば、ラッチ部材を出没および回転自在なローラで構成したことで、扉体を閉じる際に、ラッチ部材が縦枠のラッチ受けの縁に沿って回転しつつ滑らかに出没するため、扉体を閉じきった際に急激に突出することがなく、ラッチ部材が突出する際の音鳴りを防止することができる。また、ローラから形成したことでラッチ部材の高さ寸法を小さく（薄く）する、つまりローラを円盤状に形成することができ、戸先框の上下端から突出する小口キャップ装置の突出寸法が小さくでき、より一層目立たなくなって意匠性を向上させることができる。
【００１３】
さらに、本発明のドアでは、前記戸先框には、施錠または開錠位置に切り換え操作可能な錠操作部と、この錠操作部に一端が連結され、かつ他端が前記戸先框の内部を通って当該戸先框の上下端の少なくとも一方側に延長された規制部材とを有した施錠装置が設けられ、前記錠操作部を施錠位置に切り換えることで、前記規制部材の他端側が前記ラッチ部材の出没移動を規制する規制位置に移動して前記ラッチ部材が出没不能となり、前記錠操作部を開錠位置に切り換えることで、前記規制部材の他端側が前記規制位置から外れて前記ラッチ部材が出没可能となることが好ましい。
このような構成によれば、施錠装置の錠操作部を操作して規制部材の他端側を規制位置に移動させることで、ラッチ部材が出没不能となり、ラッチ部材とラッチ受けとの係合状態が維持され、扉体を開口枠に対して移動不能に施錠することができる。
【００１４】
この際、本発明のドアでは、前記施錠装置の規制部材の他端は、前記小口キャップ装置を貫通して前記開口枠側に突出可能に設けられ、この規制部材の他端に対応する前記開口枠には、当該規制部材の他端に係合可能な錠受けが設けられ、前記錠操作部を施錠位置に切り換えることで、前記規制部材の他端が前記開口枠に向かって突出して前記錠受けに係合し、前記錠操作部を開錠位置に切り換えることで、前記規制部材の他端が前記錠受けから外れることが好ましい。
ここで、小口キャップ装置を貫通する規制部材の他端は、開口枠の上枠側に突出してもよく、また開口枠の縦枠側に突出してもよい。
このような構成によれば、ラッチ部材の出没移動を規制することによる施錠に併せて、規制部材の他端が開口枠の錠受けに係合することによる施錠も可能になるので、より確実な施錠が実施できる。
【００１５】
また、本発明のドアでは、前記施錠装置における規制部材の他端は、前記戸先框の上端側のみに延長されており、前記施錠装置には、開錠操作が不能になった際に、前記規制部材を自然落下させて前記規制位置から外す規制解除手段が設けられていることが好ましい。
ここで、規制解除手段としては、前記規制部材を前記錠操作部と連結することで自然落下不能な構造とするとともに、錠操作部に通常操作時の力を超える力を加えることで、錠操作部と規制部材との連結部分が壊れるように設定された機構などが採用可能である。
このような構成によれば、規制解除手段によって規制部材を自然落下させることで施錠状態が解除できるので、万一錠操作部が操作不能になった場合でも、室内に人が閉じこめられることがないようにできる。
【発明を実施するための最良の形態】
【００１６】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１７】
〔第１実施形態〕
本発明の第１実施形態に係るドアについて、図１ないし図８に基づいて説明する。
図１は、本実施形態のドア１を示す正面図である。図２(Ａ)，(Ｂ)は、それぞれドア１の要部を示す横断面図である。図３は、ドア１の要部を示す縦断面図である。図４(Ａ)，(Ｂ)は、ドア１に設けられる小口キャップ装置２０を示す斜視図である。図５(Ａ)〜(Ｃ)は、小口キャップ装置２０を示す平面図および側面図である。
【００１８】
図１〜３において、ドア１は、浴室の出入口に設けられたものであって、それぞれアルミ押出形材製の上枠２、下枠３、および左右の縦枠４，５を四周枠組みした開口枠６と、この開口枠６に開閉自在に支持された扉体としての障子１０とを備えて構成されている。障子１０は、アルミ押出形材製の上框１１、下框１２、および左右の縦框１３，１４を四周框組みした内部に、強化ガラス製やポリカーボネート製の面材１５を嵌め込んで構成されている。そして、障子１０は、図１中、右側の縦框１３が上枠２および下枠３に軸支されており、この縦框１３側の回動軸を中心に回動して開閉可能になっている。また、障子１０の戸先側（開放側）の縦框（戸先框）１４近傍には、開閉操作の際に手で掴むハンドル１６が取り付けられている。さらに、戸先框１４の上下端には、当該戸先框１４の上下端小口を塞ぐ小口キャップ装置２０が取り付けられている。
【００１９】
小口キャップ装置２０は、図４、５に示すように、樹脂製の小口キャップ本体２１と、この小口キャップ本体２１に取り付けられた付勢手段としての板ばね２２と、この板ばね２２に軸支されたラッチ部材としてのローラ２３とを備えて構成されている。
小口キャップ本体２１は、戸先框１４の長手方向に交差する天面部２１Ａと、戸先框１４の側面に連続する側面部２１Ｂと、戸先框１４内部に圧入される圧入部２１Ｃとを備えて形成されている。そして、戸先框１４に取り付けた状態において、天面部２１Ａおよび側面部２１Ｂは、戸先框１４の上下端よりも上側または下側に露出し、これらの天面部２１Ａおよび側面部２１Ｂによって戸先框１４の小口が塞がれるようになっている。また、戸先框１４の見付け方向外側（縦枠５側）の側面部２１Ｂには、開口２１Ｄが形成されており、この開口２１Ｄを通してローラ２３が小口キャップ本体２１の内外に渡って配置されるようになっている。
【００２０】
板ばね２２は、図３に示すように、図中下側の一端としての固定端２２Ａが小口キャップ本体２１の圧入部２１Ｃ先端側に固定され、この固定端２２Ａから戸先框１４の上端（または下端）に向かって延び、開口２１Ｄから突出するように略水平に折れ曲がった他端としての自由端２２Ｂにローラ２３を軸支している。つまり、板ばね２２は、固定端２２Ａ側を基端とする片持ち状に固定されているため、自由端２２Ｂ側が戸先框１４の見付け方向に弾性変形し、これによりローラ２３が出没自在に支持されるようになっている。
また、ローラ２３は、略円盤状の樹脂製部材であり、板ばね２２の自由端２２Ｂに戸先框１４の長手方向（垂直方向）に沿った回転軸を中心に回転自在に軸支されている。そして、ローラ２３は、板ばね２２によって戸先框１４の見付け方向外側（図３中、右側）に向かって常時付勢され、小口キャップ本体２１の開口２１Ｄから突出するように構成されている。
【００２１】
戸先框１４が対向する縦枠５の内側面には、小口キャップ装置２０のローラ２３が係合する凹部７Ａを有したラッチ受け７がビス止め固定されている。このラッチ受け７の凹部７Ａは、ローラ２３ががたつかずに挿入されるだけの見込み寸法と、ローラ２３の高さ寸法に対して余裕をもった上下寸法とを有して形成されている。そして、ラッチ受け７の凹部７Ａの側方には、障子１０を閉じる際にローラ２３が当接するとともに、回転しながら乗り越える壁部７Ｂが設けられており、この壁部７Ｂは、ローラ２３が円滑に乗り越えられるように曲面形状を有して形成されている。このようなラッチ受け７により、障子１０を閉じた状態において、小口キャップ装置２０のローラ２３が凹部７Ａに係止されて障子１０の開動作が規制されるようになっている。
なお、ラッチ受けとしては、上述のように別体の部材を縦枠５に固定するものに限らず、縦枠５の内側面に形成したほり込み（凹み）で構成されてもよい。
【００２２】
また、障子１０には、図６、７に示すような施錠装置３０が設けられていてもよい。
図６(Ａ)，(Ｂ)は、それぞれ施錠装置３０による開錠および施錠状態を示す縦断面図である。図７(Ａ)〜(Ｄ)は、施錠装置３０を示す横断面図、側面図、および縦断面図である。
施錠装置３０は、障子１０の戸先框１４の側面に設けられる錠操作部３１と、この錠操作部３１に連結された規制部材としてのロッド３２とを備えて構成されている。なお、錠操作部３１は、図１に示すように、子供などの手が届きにくい戸先框１４の上部に設けられている。
【００２３】
錠操作部３１は、図７に示すように、戸先框１４の内外側面に設けられた取付孔に嵌め込まれ、略凹溝状に形成されたベース部材３３，３４と、これらのベース部材３３，３４の凹溝内に上下移動自在に支持された一対のつまみ部材３５，３６とを有して構成されている。一対のつまみ部材３５，３６は、それぞれ戸先框１４の内部に延出する延出片３５Ａ，３６Ａを有しており、これらの延出片３５Ａ，３６Ａ同士を係合させることで、つまみ部材３５，３６がベース部材３３，３４に取り付けられるようになっている。そして、つまみ部材３５，３６の延出片３５Ａ，３６Ａは、ロッド３２を貫通しており、これによりロッド３２がつまみ部材３５，３６に連結され、つまみ部材３５，３６の上下操作に連動してロッド３２が上下に移動できるようになっている。
【００２４】
ロッド３２は、略角筒状のアルミ製部材であって、図６に示すように、戸先框１４の内部において、その上端側に延びて設けられ、延びた先端部（他端）が小口キャップ装置２０の圧入部内に挿入されている。そして、つまみ部材３５，３６の操作によりロッド３２を上方に移動させることで、ロッド３２の先端部は、図６(Ｂ)に示すように、小口キャップ装置２０の板ばね２２の後方側（縦枠５の反対側）である規制位置に入り込み、板ばね２２およびローラ２３の出没移動が規制された施錠状態となる。この際、ロッド３２は、板ばね２２の後方側に突出して形成された突出部２２Ｃに当接するようになっている。また、つまみ部材３５，３６の操作によりロッド３２を下方に移動させることで、図６(Ａ)に示すように、ロッド３２の先端部が規制位置から外れ、板ばね２２が弾性変形可能でローラ２３が出没移動可能な開錠状態となる。
【００２５】
以上のように施錠装置３０のつまみ部材３５，３６を上方に操作した位置が錠操作部３１の施錠位置であり、つまみ部材３５，３６を下方に操作した位置が錠操作部３１の開錠位置である。
ここで、錠操作部３１が施錠位置に操作された状態において、万一操作不能、つまり下方に下がらなくなった場合には、ロッド３２が規制位置から移動できないために、施錠状態を解除できなくなることが考えられる。このため、本実施形態の施錠装置３０では、つまみ部材３５，３６を通常の操作力を超える力で上方に押し上げることで、図７(Ｄ)に示すように、延出片３５Ａ，３６Ａが破損して、つまみ部材３５，３６がベース部材３３，３４から外れるようになっている。これにより、つまみ部材３５，３６とロッド３２との連結が切断され、ロッド３２が下方に自由落下し、ロッド３２の先端部が規制位置から外れるようになっている。以上のように本発明の規制解除手段は構成されている。
【００２６】
なお、本実施形態の小口キャップ装置２０としては、図８に示すような構成を採用してもよい。
図８は、本実施形態の変形例に係る小口キャップ装置２０Ａを示す縦断面図である。
図８において、小口キャップ装置２０Ａの小口キャップ本体２１内部には、板ばね２２に向かって突出した突出片２１Ｅが設けられている。そして、板ばね２２には、突出片２１Ｅの先端部が挿通される挿通孔２２Ｄが設けられている。また、突出片２１Ｅには、コイルばね２４が挿通されており、このコイルばね２４の一端が板ばね２２に当接し、板ばね２２を戸先框１４の見付け方向外側（図８中、右側）に向かって常時付勢するようになっている。すなわち、コイルばね２４によって、板ばね２２の付勢力を補助する補助付勢手段が構成されている。
【００２７】
このような本実施形態によれば、以下のような効果がある。
（１）すなわち、戸先框１４の上下端を塞ぐ小口キャップ装置２０にラッチ部材であるローラ２３を設け、このローラ２３が縦枠５のラッチ受け７に係合されるので、障子１０を閉じた状態において、戸先框１４の上下端の移動を規制することができ、障子１０のバタつきを防止して閉鎖状態を安定させることができる。
【００２８】
（２）また、戸先框１４の上下方向略中央位置にラッチを設けなくてもよいことから、障子１０の外観意匠性を向上させることができるとともに、縦枠５の上下方向略中央位置に従来のドアような凹部や凹部から連続する突出片等を設けなくてもよく、突出片に衣服等が引っ掛かることがなく、衣服等の破損を防止することができる。
【００２９】
（３）さらに、小口キャップ装置２０にローラ２３からなるラッチ機構を付加したので、戸先框１４に孔開け加工等を施さなくても戸先框１４の上下端に挿入するだけで小口キャップ装置２０を取り付けることができ、製造に要する手間やコストを低減することができる。
【００３０】
（４）ローラ２３を戸先框１４の見付け方向外側に向かって出没自在に設け、縦枠５のラッチ受け７に係合するようにしたので、ラッチ受け７の凹部７Ａの上下寸法に余裕を持たせておくだけで、障子１０が多少垂れ下がった場合でも、ローラ２３とラッチ受け７との係合状態を維持でき、ラッチ受け７の位置調整に係る手間を軽減させることができる。
【００３１】
（５）また、小口キャップ本体２１が天面部２１Ａ、側面部２１Ｂ、圧入部２１Ｃを有して形成されるので、圧入部２１Ｃを戸先框１４内に圧入するだけで小口キャップ装置２０が取り付けられ、取り付け作業を容易にすることができる。また、側面部２１Ｂに開口２１Ｄを設け、この開口２１Ｄを通してローラ２３が出没するようにしたので、ローラ２３が目立たなくなり、障子１０の外観をさらに良好にすることができる。
【００３２】
（６）また、片持ち状の板ばね２２の自由端２２Ｂ側にローラ２３を支持したので、ローラ２３を出没自在に支持するための支持構造と、ローラ２３を付勢するための付勢手段とが、ともに板ばね２２によって構成でき、小口キャップ装置２０の構造を簡単にすることができる。
【００３３】
（７）さらに、図８に示すような補助付勢手段としてのコイルばね２４を設ければ、繰り返し弾性変形することにより板ばね２２の付勢力が低下した場合でも、コイルばね２４によりローラ２３を付勢するための付勢力が補助されるので、ローラ２３とラッチ受け７との係合状態を良好に維持することができる。
【００３４】
（８）また、板ばね２２の固定端側を戸先框１４の内部に延ばして圧入部２１Ｃに固定したので、板ばね２２の長さ寸法を長くすることができ、ローラ２３の出没ストロークおよび付勢力の建て付け誤差等に対する調整範囲を大きくすることができる。
【００３５】
（９）また、ローラ２３が板ばね２２の自由端２２Ｂに回転自在に支持されているので、障子１０を閉じる際に、ローラ２３がラッチ受け７の壁部７Ｂに沿って回転しつつ滑らかに出没するため、障子１０を閉じきった際の音鳴りを防止することができる。さらに、ローラ２３を円盤状に形成することで、厚さ寸法が薄くできるため、戸先框１４から突出する小口キャップ装置２０の突出寸法が小さくでき、より一層目立たなくなって意匠性を向上させることができる。
【００３６】
（10）また、施錠装置３０により障子１０を開口枠６に対して移動不能に施錠することができるとともに、規制位置にロッド３２を移動させるだけで施錠できるため、開口枠６側に錠受け等を設ける必要がなく、施錠装置３０の構造を簡単にできる。
【００３７】
（11）さらに、施錠装置３０が規制解除手段を備えたことで、ロッド３２を自然落下させて施錠状態を解除することができるので、万一錠操作部３１が操作不能になった場合でも、室内に人が閉じこめられることがないようにできる。
【００３８】
〔第２実施形態〕
次に、本発明の第２実施形態に係るドア１Ａについて、図９〜１１に基づいて説明する。
図９(Ａ)，(Ｂ)は、本実施形態のドア１Ａの要部を示す縦断面図である。図１０(Ａ)，(Ｂ)は、ドア１Ａに設けられる小口キャップ装置２０を示す斜視図である。
本実施形態のドア１Ａは、前述の第１実施形態のドア１に対して施錠装置の構成が相違するもので、その他の構成は略同様である。以下、相違点について詳しく説明する。
【００３９】
図９、１０において、本実施形態の施錠装置４０は、第１実施形態の施錠装置３０と同様の錠操作部（不図示）に連結され、この錠操作部に連動して上下に移動するロッド４２を備えて構成されている。また、上枠２には、ロッド４２の先端に係合可能な凹部８Ａを有する錠受け８が設けられている。
ロッド４２の上端は、小口キャップ装置２０の天面部２１Ａに設けられた挿通孔２１Ｆを貫通して、上枠２側に突出可能になっている。すなわち、錠操作部を開錠位置に操作した場合には、図９(Ａ)に示すように、ロッド４２が下降し、ロッド４２の先端が小口キャップ装置２０における板ばね２２の突出部２２Ｃよりも下側に位置し、板ばね２２およびローラ２３の出没移動を規制しないようになっている。また、錠操作部を施錠位置に操作した場合には、図９(Ｂ)に示すように、ロッド４２の上端が上枠２側に突出し、板ばね２２およびローラ２３の出没移動を規制する規制位置に進入するとともに、錠受け８の凹部８Ａに係合するようになっている。
【００４０】
以上のように、施錠装置４０では、ロッド４２が板ばね２２およびローラ２３の出没移動を規制することによる施錠と、ロッド４２の先端が錠受け８の凹部８Ａに係合することによる施錠との二重の施錠が可能になっている。
【００４１】
また、本実施形態の施錠装置４０における規制部材としてのロッドは、図１１に示すような構成としてもよい。
図１１(Ａ)，(Ｂ)は、本実施形態の変形例に係る施錠装置の一部を示す縦断面図である。
図１１において、ロッド４３は、錠操作部に連結された第１ロッド４３Ａと、戸先框１４の見付け方向外側に出没自在に小口キャップ本体２１に支持された第２ロッド４３Ｂとから構成されている。そして、第１および第２のロッド４３Ａ，４３Ｂには、互いに当接するとともに摺動可能な傾斜を有した摺動面４３Ｃ，４３Ｄが設けられている。そして、第２ロッド４３Ｂは、ローラ２３に隣接して設けられており、小口キャップ本体２１の開口２１Ｄは、見込み方向に拡大されている。また、錠受けとしては、前記ラッチ受け７を兼用しており、ラッチ受け７の凹部７Ａは、見込み方向に拡大されている。
【００４２】
以上のように第２ロッド４３Ｂは、開口２１Ｄを通して出没可能になっているとともに、縦枠５側に突出した際にラッチ受け７の凹部７Ａに係合可能になっている。従って、図１１(Ｂ)に示すように、錠操作部を施錠位置に操作して第１ロッド４３Ａを規制位置に進入させると、第１ロッド４３Ａの摺動面４３Ｃが第２ロッド４３Ｂの摺動面４３Ｄに当接するとともに、互いの摺動面４３Ｃ，４３Ｄ同士が摺動して、第２ロッド４３Ｂが縦枠５側に押し出され、第２ロッド４３Ｂの先端が凹部７Ａに係合して施錠されるようになっている。
【００４３】
このような本実施形態によれば、前述の効果と略同様の効果に加えて以下のような効果がある。
（12）すなわち、ローラ２３の出没移動を規制することによる施錠に併せて、ロッド４２の先端が上枠２の錠受け８に係合することによる施錠も可能になるので、より確実な施錠が実施できる。
【００４４】
（13）また、図１１に示すように、規制部材であるロッド４３（第２ロッド４３Ｂ）が縦枠５側に突出するように構成すれば、障子１０が多少垂れ下がった場合でも、第２ロッド４３Ｂとラッチ受け７との係合状態、つまり施錠状態を維持することができる。
【００４５】
なお、本発明は、前記各実施形態に限定されるものではなく、本発明の目的を達成できる他の構成等を含み、以下に示すような変形等も本発明に含まれる。
例えば、ラッチ部材や付勢手段の形態は、前記各実施形態において説明したものに限定されるものではなく、適宜変更することが可能である。すなわち、ラッチ部材は、回転自在なローラに限らず、回転不能に支持されたものでもよく、また回転ではなく所定の角度だけ回動自在に支持されたものでもよい。また、付勢手段は、板ばねやコイルばねに限らず、ねじりコイルばねや皿ばね等でもよく、ゴム等の弾性体でもよい。
また、本発明のドアは、浴室の出入口に設けられるものに限らず、居室その他の出入口に設けられてもよい。
【００４６】
また、前記実施形態では、施錠装置３０，４０を設けたが、これらの施錠装置は本発明の必須要件ではなく、適宜省略してもよい。施錠装置を省略することで、ドアの構造が簡単になり、製造コストをさらに低減させることができる。
さらに、施錠装置として図１２、１３に示すような構成を採用してもよい。
図１２において、施錠装置５０は、戸先框１４の側面に設けられた錠操作部５１と、この錠操作部５１の操作に連動して上下に移動するロッド５２と、これらの錠操作部５１とロッド５２とを連結する連結部材５３とを備えて構成されている。また、上枠２および下枠３には、前記第２実施形態と同様の錠受け８が設けられている。
錠操作部５１は、通常の箱錠などに用いられるサムターンを有し、戸先框１４に回転可能に支持されており、この錠操作部５１とともに連結部材５３が回転するようになっている。
【００４７】
ロッド５２は、戸先框１４の上端側に延びるロッド５２と、下端側に延びるロッド５２の２本が配置されており、それぞれのロッド５２の一端が連結部材５３に連結されている。各ロッド５２の他端である上端または下端は、小口キャップ装置２０の挿通孔２１Ｆを貫通して、上枠２または下枠３側に突出可能になっている。すなわち、錠操作部５１を開錠位置に操作した場合には、図１２(Ａ)に示すように、ロッド５２の上端または下端が後退し、板ばね２２およびローラ２３の出没移動を規制しないようになっている。また、錠操作部５１を施錠位置に操作した場合には、図１２(Ｂ)に示すように、ロッド５２の上端または下端が上枠２または下枠３側に突出し、板ばね２２およびローラ２３の出没移動を規制する規制位置に進入するとともに、錠受け８の凹部８Ａに係合するようになっている。
【００４８】
図１３に示す施錠装置６０は、錠操作部６１と、ロッド６２と、ロッド６２の一端側に形成された歯形に噛合し、錠操作部６１とともに回転するピニオン６３とを備えて構成されている。
すなわち、錠操作部６１の回転操作によりピニオン６３が回転し、このピニオン６３の回転が歯形を介してロッド６２に伝達され、ロッド６２が上下に進退移動するようになっている。その他の構成、動作は、前述の施錠装置５０とほぼ同様である。
【００４９】
以上の図１２、１３に示す施錠装置５０，６０を採用すれば、戸先框１４の上下において、ローラ２３の出没移動を規制することによる施錠と、ロッド５２，６２の先端が上枠２および下枠３の錠受け８に係合することによる施錠との二重の施錠ができるので、より一層確実な施錠が実施できる。
【００５０】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００５１】
【図１】本発明の第１実施形態に係るドアを示す正面図である。
【図２】(Ａ)，(Ｂ)は、それぞれ前記ドアの要部を示す横断面図である。
【図３】前記ドアの要部を示す縦断面図である。
【図４】(Ａ)，(Ｂ)は、前記ドアに設けた小口キャップ装置を示す斜視図である。
【図５】(Ａ)〜(Ｃ)は、前記小口キャップ装置を示す平面図および側面図である。
【図６】(Ａ)，(Ｂ)は、前記ドアに設けた施錠装置による開錠および施錠状態を示す縦断面図である。
【図７】(Ａ)〜(Ｄ)は、前記施錠装置を示す横断面図、側面図、および縦断面図である。
【図８】前記実施形態の変形例に係る小口キャップ装置を示す縦断面図である。
【図９】(Ａ)，(Ｂ)は、本発明の第２実施形態に係るドアの要部を示す縦断面図である。
【図１０】(Ａ)，(Ｂ)は、前記ドアに設けた小口キャップ装置を示す斜視図である。
【図１１】(Ａ)，(Ｂ)は、前記実施形態の変形例に係る施錠装置の一部を示す縦断面図である。
【図１２】(Ａ)，(Ｂ)は、本発明の変形例に係る施錠装置を示す縦断面図である。
【図１３】(Ａ)，(Ｂ)は、本発明の変形例に係る施錠装置を示す縦断面図である。
【符号の説明】
【００５２】
１，１Ａ…ドア、２…上枠、３…下枠、４，５…縦枠、６…開口枠、７…ラッチ受け、８…錠受け、１０…障子、１１…上框、１２…下框、１３…縦框、１４…縦框（戸先框）、２０，２０Ａ…小口キャップ装置、２１…小口キャップ本体、２１Ａ…天面部、２１Ｂ…側面部、２１Ｃ…圧入部、２１Ｄ…開口、２２…付勢部材である板ばね、２２Ａ…一端である固定端、２２Ｂ…他端である自由端、２３…ラッチ部材であるローラ、３０，４０，５０，６０…施錠装置、３１，５１，６１…錠操作部、３２，４２，５２，６２…規制部材であるロッド。
【図１】
2005200921.tif 000003
【図２】
2005200921.tif 000004
【図３】
2005200921.tif 000005
【図４】
2005200921.tif 000006
【図５】
2005200921.tif 000007
【図６】
2005200921.tif 000008
【図７】
2005200921.tif 000009
【図８】
2005200921.tif 000010
【図９】
2005200921.tif 000011
【図１０】
2005200921.tif 000012
【図１１】
2005200921.tif 000013
【図１２】
2005200921.tif 000014
【図１３】
2005200921.tif 000015